(57)【要約】【課題】  カメラ撮影時において、撮影者の意図した良好な映像でカメラ撮影が出来、かつ、視覚的な煩わしさが無い良好な表示画面でカメラ撮影が出来るようにする。【解決手段】  各種カメラ機能の標準モード／撮影モードを選択操作してから経過した時間に応じて、所定操作時に、特殊モードのＯＳＤ表示を強調的に一定時間表示するようにし、その強調表示は撮影者がＯＳＤ表示をオフに選択操作している場合でも行うようし、更に、前記経過時間が所定時間に達したなら撮影者に特殊モードの確認操作を要求するようにした。【選択図】  図５
2006186717.tif 000002
【特許請求の範囲】
【請求項１】
複数の撮影モードを設定可能なカメラ機能と、
前記撮影モードを選択操作する操作手段と、
前記撮影モードを所定の形態で識別表示する表示手段と、
前記撮影モードを選択操作してからの経過時間を測定する計時手段と、を備え、
所定の操作時に、前記経過時間に応じて前記撮影モードの識別表示の表示内容を変えて表示することを特徴とする撮像装置。
【請求項２】
請求項１記載の撮像装置において、
前記選択操作する操作手段にて選択した撮影モードを記憶しておき電源オン時復帰する記憶復帰手段を備え、
前記計時手段は、前記撮影モードを選択操作して記憶してからの経過時間を測定することを特徴とする撮像装置。
【請求項３】
請求項１又は２記載の撮像装置において、
前記撮影モードの識別表示を表示するか非表示とするかの表示状態を選択操作する表示操作手段を備え、
前記撮影モードの識別表示を非表示とした場合、所定の操作時に、前記経過時間に応じて前記撮影モードの識別表示の表示内容を変えて表示することを特徴とする撮像装置。
【請求項４】
請求項３記載の撮像装置において、
前記表示操作手段にて選択した表示状態を記憶しておき電源オン時復帰する記憶復帰手段を備え、
記憶した表示状態に応じて前記撮影モードの識別表示の表示内容を変えて表示することを特徴とする撮像装置。
【請求項５】
請求項１乃至４のいずれかに記載の撮像装置において、
前記計時手段による経過時間が所定の時間を越した場合には、前記撮影モードの識別表示とともに確認操作を要求するための所定の文字列を前記表示手段に表示することを特徴とする撮像装置。
【請求項６】
請求項５記載の撮像装置において、
前記所定の文字列が表示された時に撮影モードを確認操作する確認操作手段を設け、前記計時手段は前記確認操作手段により前記撮影モードの確認操作をしてからの経過時間を測定することを特徴とする撮像装置。
【発明の詳細な説明】
【技術分野】
【０００１】
本発明は、複数の撮影モードを有するカメラ機能を備えた撮像装置に係り、特に特殊モードの識別表示を撮影者に効果的に認識させる技術に関する。
【背景技術】
【０００２】
近年のビデオカメラやデジタルスチルカメラなどの撮像装置において、各種カメラ機能（フォーカス機能、露出機能、ホワイトバランス機能など）は、様々な撮影シーンに平均的に対応するように各種カメラ機能を設定した標準モードの他に、特定の撮影シーンに対応するように各種カメラ機能を設定させ標準モードよりも良好または印象効果的な映像を撮影するための特殊モードを備え、それらモードを撮影者が選択し設定できるようになってきている。
【０００３】
前記の各種カメラ機能の標準モードと特殊モードについては、カメラ実用上で電源操作が頻繁に行われることから、それらモード設定をバックアップ（記憶）して再度電源を入れたときには以前のモードに復帰させることが一般的である。また、モードの設定状態を視認しやすくするため、それらモードを所定の文字や記号等で表示するＯＳＤ（オンスクリーンディスプレイ）表示をカメラ映像信号に重畳して、ＬＣＤ（液晶ディスプレイ）やＥＶＦ（エレクトリックビューファインダー）等の表示画面に表示するのが一般的である。
【０００４】
しかしながら、前記特殊モードのバックアップについては、撮影者が意図して特殊モードを選択設定している間は特に問題ないが、特殊モードを設定してから長時間経過後に再度電源を入れ撮影する場合は、撮影者が特殊モードに設定していることを忘れてしまうことがある。この場合、特殊モードは特定の撮影シーンに特化して各種カメラ機能を設定しているため、その各種カメラ機能の設定がこれから撮影しようとする撮影シーンに一致していないときには、撮影者の意図しない映像を撮影してしまうケースが有り得るという問題があった。
【０００５】
一方、近年の撮像装置において、各種機能情報のＯＳＤ表示は、高性能／多機能化にともない表示項目が多くなってきており、更に、小型／軽量化にともないＬＣＤやＥＶＦ等の表示画面が小型化するようになっていきている。これら傾向によって、ＯＳＤ表示の表示項目の増加や表示文字等の拡大化は、ＯＳＤ表示によって被写体が隠され撮影被写体が見え辛く、ＯＳＤ表示が視覚的に煩わしいといった問題を生じさせる。逆に、ＯＳＤ表示の表示項目の減少や表示文字等の縮小化は、各種カメラ機能等の情報を認識し辛いといった問題を生じさせる。
【０００６】
上記問題を考慮した従来技術として、撮像装置において、撮影者の選択操作で各種ＯＳＤ表示を最小限に抑えて、各種カメラ機能の特殊モードのＯＳＤ表示も表示しないようにした表示モードにおいても、再度のカメラ撮影時（電源オン動作時）に限って一定時間かまたは、何らかの操作があるまで、特殊モードのＯＳＤ表示を強調的に表示するといった手法のものもある（例えば、特許文献１参照）。
【０００７】
【特許文献１】特開平９−２００５８１号公報
【発明の開示】
【発明が解決しようとする課題】
【０００８】
上記特許文献１記載の従来技術では、電源オン動作時にＯＳＤ表示上に特殊モードの識別表示を一定時間強調表示するようになっている。しかしながら、特殊モードに設定してから時間が余りたっていない時期には、撮影者は特殊モードに設定していることを覚えているので、特殊モードの識別表示がなくても困らなく、反対に識別表示のために被写体が隠されて視覚的に煩わしいと感じることになってしまうケースが有り得るという問題となってしまう。すなわち、ビデオカメラのように短時間に撮影後電源オフと再電源オン後撮影を繰返す場合、撮影者が明らかに特殊モードで撮影していることを認識しているにも関わらず電源オンの度に特殊モードの強調表示がされてしまうので視覚的に煩わしいと感じるという問題となる。
【０００９】
さらに、特殊モードの表示が電源オンの時にだけ強調表示されるだけでは、撮影者が特殊モードにしたまま長時間が経過して撮影状況が変化した状態にも係らず特殊モードに気付かないで記録を開始した場合、撮影者が特殊モードを認識せずに意図しない映像を撮影してしまうという問題となる。
【００１０】
本発明は上記問題点に鑑み、特殊モードを選択操作してからの経過時間により、特殊モードであることを撮影者に知らせるか否かを判断し、ある程度の時間が経過してから、所定操作に連動して特殊モードである事を知らせることにより、カメラ撮影時において、各種カメラ機能の特殊モードの識別表示を撮影者に効果的かつ確実に認識させ、撮影者の意図した良好な映像でカメラ撮影が出来、かつ、該識別表示による視覚的な煩わしさが無い良好な表示画面でカメラ撮影が出来るようにした撮像装置を提供することが本発明の目的である。
【課題を解決するための手段】
【００１１】
上記課題を解決するため、
本発明は、複数の撮影モードを設定可能なカメラ機能と、前記撮影モードを選択操作する操作手段と、前記撮影モードを所定の形態で識別表示する表示手段と、を備え、前記撮影モードを選択操作してからの経過時間を測定する計時手段を備え、所定の操作時に、前記経過時間に応じて前記撮影モードの識別表示の表示内容を変えて表示することを特徴とする。これにより、本体動作モード切替え等の所定の操作時にＯＳＤ表示する内容を特殊モード設定後の経過時間により変え、特殊モードの識別表示を撮影者に効果的に認識させ、撮影者の意図した良好な映像でカメラ撮影が出来、かつ、該識別表示による視覚的な煩わしさが無い良好な表示画面でカメラ撮影が出来る。
【００１２】
さらに、前記選択操作する操作手段にて選択した撮影モードを記憶しておき電源オン時復帰する記憶復帰手段を備え、前記計時手段は、前記撮影モードを選択操作して記憶してからの経過時間を測定することを特徴とする。これにより、ビデオカメラのように短時間撮影と電源オン／オフ切替えを頻繁に繰返すような場合においても、特殊モードの識別表示を撮影者に効果的に認識させ、撮影者の意図した良好な映像でカメラ撮影が出来、かつ、該識別表示による視覚的な煩わしさが無い良好な表示画面でカメラ撮影が出来る。
【００１３】
さらに、前記撮影モードの識別表示を表示するか非表示とするかの表示状態を選択操作する表示操作手段を備え、前記撮影モードの識別表示を非表示とした場合、所定の操作時に、前記経過時間に応じて前記撮影モードの識別表示の表示内容を変えて表示することを特徴とする。これにより、特殊モードの識別表示を表示しないようにしていても、経過時間が長くなった場合には特殊モードの識別表示を一定時間表示後消灯するようにし、撮影者に効果的に認識させ、撮影者の意図した良好な映像でカメラ撮影が出来、かつ、一定時間後は識別表示が消えるので該識別表示による視覚的な煩わしさが無い良好な表示画面でカメラ撮影が出来る。
【００１４】
さらに、前記表示操作手段にて選択した表示状態を記憶しておき電源オン時復帰する記憶復帰手段を備え、記憶した表示状態に応じて前記撮影モードの識別表示の表示内容を変えて表示することを特徴とする。これにより、ビデオカメラのように短時間撮影と電源オン／オフ切替えを頻繁に繰返すようなビデオカメラにおいても、表示状態に対応した特殊モードの識別表示を表示することができ、特殊モードの識別表示を撮影者に効果的に認識させ、撮影者の意図した良好な映像でカメラ撮影が出来、かつ、該識別表示による視覚的な煩わしさが無い良好な表示画面でカメラ撮影が出来る。
【００１５】
さらに、前記計時手段による経過時間が所定の時間を越し場合には、前記撮影モードの識別表示とともに確認操作を要求するための所定の文字列を前記表示手段に表示することを特徴とする。これにより、特殊モードを撮影者に確実に認識させ、撮影者の意図した良好な映像でカメラ撮影が出来る。
【００１６】
さらに、前記所定の文字列が表示された時に撮影モードを確認操作する確認操作手段を設け、前記計時手段は前記確認操作手段により前記撮影モードの確認操作をしてからの経過時間を測定することを特徴とする。これにより、特殊モードであることの確認操作をしてからの経過時間により特殊モードの識別表示の表示内容を変え、撮影者に効果的かつ確実に特殊モードにあることを認識させ、撮影者の意図した良好な映像でカメラ撮影が出来、かつ、該識別表示による視覚的な煩わしさが無い良好な表示画面でカメラ撮影が出来る。
【発明の効果】
【００１７】
本発明により、カメラ撮影時において、特殊モードを選択操作してからの経過時間により、各種カメラ機能の特殊モードの識別表示を変え、撮影者に効果的に認識させることで、撮影者の意図した良好な映像でカメラ撮影が出来、かつ、該識別表示による視覚的な煩わしさを無くした良好な表示画面でカメラ撮影が出来る。
【発明を実施するための最良の形態】
【００１８】
以下、本発明の実施形態を図面により説明する。
【実施例１】
【００１９】
図１は、本発明による撮像装置をビデオカメラに適用した場合の一実施形態を示す構成図であり、１０１は撮像部、１０２はカメラ信号処理部、１０３はカメラ制御部、１０４はシステム制御部、１０５は操作部、１０６はメモリ、１０７は時計部、１０８は記録再生部、１０９はＯＳＤ（オンスクリーンディスプレイ）制御部、１１０は映像信号重畳処理部、１１１は表示部である。
【００２０】
図１において、撮像部１０１は、フォーカスレンズやズームレンズ等の光学レンズ、絞り（アイリス）、電子シャッタ機能を有する撮像素子（ＣＣＤセンサ、ＣＭＯＳセンサなど）等からなり、光学レンズとアイリスを介して撮像素子面に結像した被写体像を光電変換して撮像信号を生成する。カメラ信号処理部１０２は、その撮像信号を所定レベルに増幅（ＡＧＣ）し、輝度信号と色信号を生成し、ガンマ補正など各種信号処理を行い、カメラ映像信号を生成する。カメラ制御部１０３は、カメラ機能全体（フォーカス機能、露出機能、ホワイトバランス機能、ズーム機能など）を制御するマイクロコンピュータ等からなり、フォーカス機能の自動（ＡＦ）／手動（ＭＦ）の撮影モードに応じて、撮像部１０１内のフォーカスレンズを制御して焦点（ピント）を調整する。また、露出機能の自動（ＡＥ）／手動／逆光補正／プログラムＡＥ（ポートレート、スポットライト、スポーツなど）等の撮影モードに応じて、撮像部１０１内の絞り、電子シャッタやカメラ信号処理部１０２（ＡＧＣ）等を制御して露出（明るさ）を調整する。また、ホワイトバランス機能の自動（ＡＷＢ）／手動（セット）／プリセット（屋内、屋外、蛍光灯など）等の撮影モードに応じて、カメラ信号処理部１０２内の色信号を制御してホワイトバランス（色）を調整する。また、ズーム機能の広角（Ｗｉｄｅ）ズーム／望遠（Ｔｅｌｅ）ズームのモードに応じて、撮像部１０１内のズームレンズを制御して画角（ズーム位置）を調整する。
【００２１】
上記のカメラ機能の内フォーカス機能と露出機能とホワイトバランス機能の各種カメラ機能の撮影モード（以下、各種カメラ機能モード）において、様々な撮影シーンに平均的に対応できるように撮影モードを自動に設定した標準モードと、特定の撮影シーンに対応できるように撮影モードを自動以外に設定した特殊モード２つの撮影モードがある。
【００２２】
上記各種カメラ機能を自動に設定した撮影モード（以下、標準モード）と自動以外に設定した撮影モード（以下、特殊モード）、及び、ズーム機能モードの制御は、システム制御１０４の指示に従い実行する。また、カメラ制御部１０３は、ズーム位置（ズーム倍率）等のカメラ機能の情報をシステム制御部１０４に出力する。操作部１０５は、撮影者が操作する各種スイッチ類（ボタン、ダイヤル、レバーなど）で構成され、本ビデオカメラの本体動作モード（カメラ撮影／映像再生／電源オフ）、各種カメラ機能モード（標準モード／特殊モード）、ズーム機能のズーム方向（広角ズーム／望遠ズーム）、カメラ撮影時の記録モード（記録の開始／停止）、映像再生時の再生機能モード（再生の開始／停止／送りなど）、ＯＳＤ表示モード（ＯＳＤ表示のオン／オフ）、時計合わせ（時計リセットを含む）、等の選択操作（変更／切替操作）の情報をシステム制御部１０４に出力する。メモリ１０６は、データの書込み／読出し（記憶／復帰）が可能な記憶媒体（ＲＡＭ、ＥＥＰＲＯＭ、フラッシュメモリなど）であり、各種カメラ機能モード（標準モード／特殊モード）、ＯＳＤ表示モード（ＯＳＤ表示のオン／オフ）等の本ビデオカメラの各種情報を、システム制御部１０４との間で入出力する。１０７は時計部で、日時（日付と時刻）を管理出来る構成になっており、システム制御部１０４の指示に従って、日時を変更（時計合わせや時計リセット）し、所定周期で日時を更新（時計動作）し、日時情報をシステム制御部１０４に出力する。記録再生部１０５は、映像や音声の書込み／読出しが可能な記録媒体（テープ、ディスク、メモリ等）を用いて、映像信号や音声信号の記録と再生が出来る構成になっており、システム制御部１０４の指示に従い、カメラ撮影時はカメラ信号処理部１０２から入力したカメラ映像信号とシステム制御部１０４から入力した日時情報（時計部１０７の情報）等を記録媒体へ書込み、同時にカメラ映像信号を映像信号重畳処理部１１０に出力する。また、映像再生時は、記録媒体から再生映像信号と日時情報等を読み出し、再生映像信号を映像信号重畳処理部１１０に出力し、日時情報等をシステム制御部１０４に出力する。また、記録媒体の容量（記録時間）等の各種記録再生情報をシステム部１０４に出力する。ＯＳＤ制御部１０９は、本ビデオカメラの本体動作モード、各種カメラ機能モード、ズーム位置、カメラ撮影時の記録モード、映像再生時の再生機能モード、日時等の撮像装置の各種情報を所定の文字や記号等で撮影者に表示するＯＳＤ表示信号を生成する。尚、それらＯＳＤ表示（文字や記号）の色、表示周期（点灯／点滅／消灯）、大きさ等は、システム制御部１０４の指示に従い制御する。映像信号重畳処理部１１０は、記録再生部１１０から入力した映像信号（カメラ映像信号、又は、再生映像信号）にＯＳＤ制御部１０９から入力したＯＳＤ表示信号を重畳する処理を行う。表示部１１１は、ＬＣＤ（液晶ディスプレイ）やＥＶＦ（エレクトリックビューファインダー）等で構成され、映像信号重畳処理部１１０から入力した映像信号（カメラ映像信号、又は、再生映像信号にＯＳＤ表示信号を重畳した信号）を表示画面に出力する。システム制御部１０４は、上述した各ブロックを総合的に制御するマイクロコンピュータ等で構成され、撮影者による各種選択操作に従い、撮像装置の本体動作モード、カメラ機能、映像信号の記録／再生機能と表示機能、ＯＳＤ表示機能、画面時計機能、電源機能（図示せず）等を管理する。
【００２３】
実施形態では、各種カメラ機能モード（標準モード／特殊モード）や本体動作モードやＯＳＤ表示モード（ＯＳＤ表示のオン／オフ）等は、撮影者の選択操作時にメモリ１０６等に記憶され、本ビデオカメラの本体動作モードが非カメラ撮影（映像再生や電源オフ）からカメラ撮影に切替操作された時に復帰されるようになっている。
【００２４】
ここで、実施形態において、各種カメラ機能モードを特殊モードにした場合にカメラ撮影時に表示部１１１に表示される、各種カメラ機能（フォーカス機能、露出機能、ホワイトバランス機能）の特殊モード表示とその他各種情報のＯＳＤ表示の表示例を図２と図３に示す。図２は本発明によるＯＳＤ表示オン時の特殊モードにおけるＯＳＤ表示の表示例であり、図３はＯＳＤ表示オフ時の特殊モードにおけるＯＳＤ表示の表示例である。ＯＳＤ表示オンモード時である図２の表示例に対してＯＳＤ表示オフモード時である図３の表示例は、カメラ撮影時に撮影者が被写体を認識し易いように、本ビデオカメラの各種ＯＳＤ表示を最小限に抑えるようにしたものである。
【００２５】
図２はＯＳＤ表示オンモードで、フォーカス機能は手動モード、ホワイトバランス機能は手動モード、露出機能はポートレートモードとした場合の表示画面例であり、特殊モードを表すフォーカス機能表示（手動）２０１、ホワイトバランス機能表示(手動)２０２、露出機能表示（ポートレート）２０３がそれぞれ表示される。また、同時にズーム機能表示、本体動作モード表示、記録モード表示、記録時間表示、電源表示、時計表示が表示されており、本ビデオカメラの状態の詳細がわかるようになっている。図３は、図２の状態からＯＳＤ表示オフモードへ切替えた場合の表示画面例であり、本体動作モード表示と記録モード表示以外の表示が消えている。
【００２６】
本発明の技術は、実施形態において、撮影者が各種カメラ機能モードを特殊モードに選択操作または特殊モードであることを確認してから経過した時間に応じて、所定の操作時に、特殊モードであることを表すＯＳＤ表示の表示内容を段階的に変化させて、表示するようにしたことを特徴としている。また、特殊モードであることを表すＯＳＤ表示は、撮影者がＯＳＤ表示オフモードを選択しているときでも所定の操作時には経過した時間に応じた表示内容で表示を行うようにしたことを特徴としている。更に、前記経過時間が所定時間に達したなら、撮影者にカメラ機能の撮影モードが特殊モードであることを報知し撮影者の確認操作を要求するようにしたことを特徴としている。以下、図４から図１０を用いて詳細に説明する。
【００２７】
まず、本ビデオカメラにおける特殊モードに選択操作してから経過した時間に応じて、ＯＳＤ表示の表示内容を段階的に変化させるための処理の流れを図４、図５のフローチャートを用いて説明する。図４は本発明によるカメラ機能モード表示処理のフローチャート(その１)、図５は本発明によるカメラ機能モード表示処理のフローチャート(その２)である。
【００２８】
ここで、本実施形態においては、各種カメラ機能モードのＯＳＤ表示の設定は、本ビデオカメラのシステム全体を制御するシステム制御部１０４のマイクロコンピュータプログラム処理において行うこととしている。また、図４及び図５で示す処理の流れであるフローチャートは、本体動作モード（カメラ撮影／映像再生／電源オフ）に係わらず、常時、一定周期で繰返し実行されるフローチャートである。例えば、図４での終了後、１００ｍ秒後には、図４の開始に戻るようになっている。尚、上記処理は、カメラ機能毎に実行しても、複数のカメラ機能で論理和的に実行しても、どちらでも構わない。
【００２９】
図４において、カメラ機能モード表示処理が開始されると、まず、ステップＳＴ１００に移行し、時計部１０７の日時情報より現在日時Ｔ１を読込み、ステップＳＴ２００に移行する。ステップＳＴ２００に移行すると、カメラ機能モード（標準モード／特殊モード）の選択操作の有無を判定し、モードを変更する操作が無かったならステップＳＴ２１０に移行し、モードを変更する操作が有ったならステップＳＴ２１１に移行する。ステップＳＴ２１１に移行すると、変更された現在のカメラ機能モード（標準モードまたは特殊モード）をメモリ１０６に書込み記憶させ、ステップＳＴ２２１に移行する。ステップＳＴ２２１に移行すると、カメラ機能モード（標準モードまたは特殊モード）が変更された日時を示すカメラ機能モード設定日時Ｔ２をステップ１００で読み込んだ現在日時Ｔ１に更新（Ｔ２＝Ｔ１）し、図５のステップＳＴ５００に移行し、本ビデオカメラの動作状態に従ったＯＳＤ表示をするための処理に入る。
【００３０】
ステップＳＴ２１０に移行すると、カメラ機能モードが特殊モードであることの確認操作（後述する）の有無を判定し、特殊モード確認の操作が無かったならステップＳＴ２２０に移行し、特殊モード確認の操作が有ったならステップＳＴ２１１に移行する。ステップＳＴ２１１に移行すると、確認された現在のカメラ機能モード（特殊モード）をメモリ１０６に書込み記憶させ、ステップＳＴ２２１に移行し、ステップＳＴ２２１でカメラ機能モード（特殊モード）が確認された日時を示すカメラ機能モード設定日時Ｔ２をステップＳＴ１００で読み込んだ現在日時Ｔ１に更新（Ｔ２＝Ｔ１）し、図５のステップＳＴ５００に移行する。
【００３１】
ステップＳＴ２２０に移行すると、時計部１０７の時計合わせや時計リセット等の日時の変更操作の有無を判定し、日時を変更する操作が無かったならステップＳＴ３００に移行し、日時を変更する操作が有ったならステップＳＴ２２１に移行する。ステップＳＴ２２１に移行すると、カメラ機能モード（標準モードまたは特殊モード）が変更または確認された日時を示すカメラ機能モード設定日時Ｔ２を変更後となるステップＳＴ１００で読み込んだ現在日時Ｔ１に更新（Ｔ２＝Ｔ１）し、図５のステップＳＴ５００に移行する。
【００３２】
ステップＳＴ３００に移行すると、ＯＳＤ表示モード（ＯＳＤ表示のオン／オフ）の変更操作（選択操作）の有無を判定し、ＯＳＤ表示モード変更の操作が無かったならステップＳＴ４００に移行し、ＯＳＤ表示モード変更の操作が有ったならステップＳＴ３０１に移行する。ＳＴ３０１に移行すると、変更された現在のＯＳＤ表示モード（ＯＳＤ表示のオンまたはオフ）をメモリ１０６に書込み記憶させ、図５のステップＳＴ５００に移行する。
【００３３】
ステップＳＴ４００に移行すると、本ビデオカメラの本体動作モード（カメラ撮影／映像再生／電源オフ）の変更操作（選択操作）の有無を判定し、本体動作モードを変更する操作が無かったならステップＳＴ４１０に移行し、本体動作モードを変更する操作が有ったなら図５のステップＳＴ５００に移行する。
【００３４】
ステップＳＴ４１０に移行すると、撮影者がカメラ機能モードを適時に認知することが可能なカメラ撮影時の記録モード操作などのその他の所定操作の有無を判定し、所定の操作が無かったならステップＳＴ８００に移行し本処理を終了し、所定の操作が有ったなら図５のステップＳＴ５００に移行する。
【００３５】
上記までの処理により、撮影者が各種カメラ機能モードを特殊モードに選択操作または特殊モードであることを確認した日時を認識する。
【００３６】
図５のステップＳＴ５００に移行すると、本ビデオカメラの本体動作モード（カメラ撮影／映像再生／電源オフ）を判定し、カメラ撮影時ならステップＳＴ５１０に移行し、非カメラ撮影時（映像再生時や電源オフ時）ならステップＳＴ５０１に移行する。ステップＳＴ５０１に移行すると、カメラ機能モード（標準モード／特殊モード）のＯＳＤ表示の非表示設定を行い、図４のステップＳＴ８００に移行し本処理を終了する。尚、この場合、表示部１１１にはカメラ機能モードの識別表示はされない。
【００３７】
ステップＳＴ５１０に移行すると、カメラ機能モード（標準モード／特殊モード）をメモリ１０６から読込み復帰させ、ステップＳＴ５２０に移行する。ステップＳＴ５２０に移行すると、ＯＳＤ表示モード（ＯＳＤ表示のオン／オフ）をメモリ１０６から読込み復帰させ、ステップＳＴ６００に移行する。ステップＳＴ６００に移行すると、カメラ機能モード（標準モード／特殊モード）を判定し、特殊モードならステップＳＴ７００に移行し、標準モードならステップＳＴ６０１に移行する。ステップＳＴ６０１に移行すると、カメラ機能のＯＳＤ表示モード（ＯＳＤ表示のオン／オフ）を判定し、表示オンならステップＳＴ６０２に移行し、表示オフならステップＳＴ６０３に移行する。
【００３８】
ステップＳＴ６０２に移行すると、カメラ機能標準モードのＯＳＤ表示設定（標準モード表示設定ａ）を行い表示部１１１にＯＳＤ表示オン時でのカメラ機能標準モードのＯＳＤ表示をし、図４のステップＳＴ８００に移行し本処理を終了する。ステップＳＴ６０３に移行すると、カメラ機能標準モードのＯＳＤ表示設定（標準モード表示設定ｂ）を行い表示部１１１にＯＳＤ表示オフ時でのカメラ機能標準モードのＯＳＤ表示をし、図４のステップＳＴ８００に移行し本処理を終了する。
【００３９】
ステップＳＴ７００に移行すると、カメラ機能モード（標準モード／特殊モード）が変更または確認されてから経過した時間を示すカメラ機能モード設定経過時間ｔを現在日時Ｔ１とカメラ機能モード設定日時Ｔ２の時間差から算出（ｔ＝Ｔ１−Ｔ２≧０）し、ステップＳＴ７１０に移行する。
【００４０】
ステップＳＴ７１０に移行すると、カメラ機能モード設定経過時間ｔを判定時間［１］と比較し、ｔ＞判定時間［１］ならステップＳＴ７２０に移行し、ｔ≦判定時間［１］ならステップＳＴ７１１に移行する。ステップＳＴ７１１に移行すると、カメラ機能のＯＳＤ表示モード（ＯＳＤ表示のオン／オフ）を判定し、表示オンならステップＳＴ７１２に移行し、表示オフならステップＳＴ７１３に移行する。
【００４１】
ステップＳＴ７１２に移行すると、カメラ機能特殊モードのＯＳＤ表示設定（特殊モード表示設定［１］ａ）を行い表示部１１１にＯＳＤ表示オン時でのカメラ機能特殊モードのＯＳＤ表示をし、図４のステップＳＴ８００に移行し本処理を終了する。ステップＳＴ７１３に移行すると、カメラ機能特殊モードのＯＳＤ表示設定（特殊モード表示設定［１］ｂ）を行い表示部１１１にＯＳＤ表示オフ時でのカメラ機能特殊モードのＯＳＤ表示をし、図４のステップＳＴ８００に移行し本処理を終了する。
【００４２】
ステップＳＴ７２０に移行すると、カメラ機能モード設定経過時間ｔを判定時間［Ｎ］と比較し、ｔ＞判定時間［Ｎ］ならステップＳＴ７３０に移行し、ｔ≦判定時間［Ｎ］ならステップＳＴ７２１に移行する。
【００４３】
ここで、カメラ機能モード設定経過時間ｔの判定時間は任意に設定可能である（０≦判定時間［１］≦判定時間［Ｎ］≦∞）。例えば、ビデオカメラの実使用時間を踏まえて、判定時間［１］＝３０分，判定時間［Ｎ］＝２時間、といったように設定する。
【００４４】
ステップＳＴ７２１に移行すると、カメラ機能のＯＳＤ表示モード（ＯＳＤ表示のオン／オフ）を判定し、表示オンならステップＳＴ７２２に移行し、表示オフならステップＳＴ７２３に移行する。
【００４５】
ステップＳＴ７２２に移行すると、カメラ機能特殊モードのＯＳＤ表示設定（特殊モード表示設定［Ｎ］ａ）を行い表示部１１１にＯＳＤ表示オン時でのカメラ機能特殊モードのＯＳＤ表示をし、図４のステップＳＴ８００に移行し本処理を終了する。ステップＳＴ７２３に移行すると、カメラ機能特殊モードのＯＳＤ表示設定（特殊モード表示設定［Ｎ］ｂ）を行い表示部１１１にＯＳＤ表示オフ時でのカメラ機能特殊モードのＯＳＤ表示をし、図４のステップＳＴ８００に移行し本処理を終了する。
【００４６】
ステップＳＴ７３０に移行すると、カメラ機能特殊モードのＯＳＤ表示設定（特殊モード表示設定［Ｎ］ｃ）を行い、ステップＳＴ７３１に移行する。ステップＳＴ７３１に移行すると、撮影者にカメラ機能モード（特殊モード）の確認操作を要求する表示設定（カメラ機能モード確認操作要求表示設定）を行い表示部１１１にカメラ機能特殊モードと確認要求のためのＯＳＤ表示をし、図４のステップＳＴ８００に移行し本処理を終了する。
【００４７】
ここで、前記ステップＳＴ７３１の要求表示に対して撮影者が確認操作するスイッチ類（ボタンなど）は、操作部１０５のスイッチ類と併用してもしなくてどちらでも良い。また、ステップＳＴ７３１で確認要求のためのＯＳＤ表示を見て撮影者により確認操作された場合は、次回のステップＳＴ２１０で確認操作有りとしてステップＳＴ２１１に移行し、以降の処理を行う。
【００４８】
上記説明したようにステップＳＴ８００で一旦本処理は終了するが、この一連の処理は常時一定周期で繰返し行うようになっているので、所定時間（例えば１００ｍ秒）後にはステップＳＴ１００に戻り、一連の処理を繰返す。すなわち、撮影者が操作部１０５を操作しない場合は、ステップＳＴ１００、ＳＴ２１０、ＳＴ２２０、ＳＴ３００、ＳＴ４００、ＳＴ４１０の処理を繰り返し、ステップＳＴ１００で読み込む現在日時Ｔ１が更新されていく。ここで、撮影者が操作部１０５の任意のスイッチ類を操作した場合、カメラ機能モードやカメラ機能モード確認のための操作や日時変更の場合には、経過時間算出のためのカメラ機能モード設定日時Ｔ２を操作された現在日時に更新して、その後の経過時間を算出するようにし、撮影者の操作がＯＳＤ表示モード選択や本体動作モード等のカメラ機能モードやカメラ機能モード確認のための操作や日時変更以外の操作時には、経過時間を算出し、経過時間に対応したＯＳＤ表示をするようにしている。
【００４９】
前述したステップＳＴ７１０〜ＳＴ７１３、ステップＳＴ７２０〜ＳＴ７３１の特殊モード表示設定処理は任意数Ｎ（１以上）あり、図５では。任意数Ｎ＝２として説明したが、これに限らず、カメラ機能モード設定経過時間ｔの判定時間を木目細かく設定（０≦判定時間［１］≦判定時間［２］≦…≦判定時間［Ｎ］≦∞）して、例えば、ビデオカメラの実使用時間を踏まえて、判定時間［１］＝３０分，判定時間［２］＝２時間，…，判定時間［Ｎ］＝８時間、といったように設定し、それに伴い、ＯＳＤ表示オン時でのカメラ機能特殊モードのＯＳＤ表示設定（特殊モード表示設定［１］ａ，特殊モード表示設定［２］ａ，…，特殊モード表示設定［Ｎ］ａ）、ＯＳＤ表示オフ時でのカメラ機能特殊モードのＯＳＤ表示設定（特殊モード表示設定［１］ｂ、特殊モード表示設定［２］ｂ、…、特殊モード表示設定［Ｎ］ｂ）を設けるようにしても良い。
【００５０】
また、図４と図５においては、時計機能１０７の日時情報からカメラ機能モード設定経過時間ｔを算出して求めているが、これに限ったものでなく、例えば、同図において、ステップＳＴ１００でカメラ機能モード設定経過時間ｔを所定周期でカウント（インクリメント）し、ステップＳＴ２２１で該経過時間ｔ（カウント値）を初期化（ｔ＝０）し、ステップＳＴ７００で該経過時間ｔ（カウント値）を読込むようにしても、同様な処理が出来る。
【００５１】
次に、上述した図４と図５のカメラ機能モード表示設定処理により表示する、カメラ機能モード（標準モード／特殊モード）のＯＳＤ表示の具体例について、図６〜図１０を用いて説明する。図６〜図１０は、各種カメラ機能の中からホワイトバランス機能の特殊モード（手動）のＯＳＤ表示を代表例としたもので、ＯＳＤ表示（文字や記号）の色、表示周期（点灯／点滅／消灯）を変化させている。
【００５２】
図６（ａ）は、本発明によるＯＳＤ表示オン時でのカメラ機能標準モードのＯＳＤ表示（図５のステップＳＴ６０２：標準モード表示設定ａ）の表示例であり、この場合は標準モードであるので、カメラ機能標準モード表示としてはホワイトバランス機能表示２０２を「消灯」させている。図６（ｂ）は、本発明によるＯＳＤ表示オフ時でのカメラ機能標準モードのＯＳＤ表示（図５のステップＳＴ６０３：標準モード表示設定ｂ）の表示例であり、この場合も標準モードであるので、カメラ機能標準モード表示としてはホワイトバランス機能表示２０２を「消灯」させている。
【００５３】
図７（ａ）は、本発明による経過時間小の段階でのＯＳＤ表示オン時でのカメラ機能特殊モードのＯＳＤ表示（図５のステップＳＴ７１２：特殊モード表示設定［１］ａ）の表示例であり、この場合は、特殊モードになってから余り時間が経過していない段階（例えば、３０分以内）でのＯＳＤ表示モードがオン時であり、カメラ機能特殊モード表示としてはホワイトバランス機能表示２０２を「無彩色（白色など）」で「点灯」させている。  図７（ｂ）は、本発明による経過時間小の段階でのＯＳＤ表示オフ時でのカメラ機能特殊モードのＯＳＤ表示（図５のステップＳＴ７１３：特殊モード表示設定［１］ｂ）の表示例であり、この場合は、特殊モードになってから余り時間が経過していない段階（例えば、３０分以内）でのＯＳＤ表示モードがオフ時であり、カメラ機能特殊モード表示としてはホワイトバランス機能表示２０２を「消灯」させている。このように、ＯＳＤ表示モードがオンの時はホワイトバランス機能表示２０２を表示し撮影者に認識させ、ＯＳＤ表示モードがオフの時は経過時間が短い場合は撮影者が特殊モードであることを記憶しているため、ホワイトバランス機能表示２０２を表示しないようにしたので、視覚的な煩わしさが無い良好な表示画面でカメラ撮影が出来る。
【００５４】
図８（ａ）は、本発明による経過時間中の段階でのＯＳＤ表示オン時でのカメラ機能特殊モードのＯＳＤ表示（図５のステップＳＴ７２２：特殊モード表示設定［Ｎ］ａ）の表示例であり、この場合は、特殊モードになってからある程度の時間が経過している段階（例えば、３０分〜２時間）でのＯＳＤ表示モードがオン時であり、カメラ機能特殊モード表示としてはホワイトバランス機能表示２０２を一定時間（例えば、５秒間）「無彩色（白色など）」で「点滅」させてから「無彩色（白色など）」で「点灯」させている。図８（ｂ）は、本発明による経過時間中の段階でのＯＳＤ表示オフ時でのカメラ機能特殊モードのＯＳＤ表示（図５のステップＳＴ７２３：特殊モード表示設定［Ｎ］ｂ）の表示例であり、この場合は、特殊モードになってからある程度の時間が経過している段階（例えば、３０分〜２時間）でのＯＳＤ表示モードがオフ時であり、カメラ機能特殊モード表示としてはホワイトバランス機能表示２０２を一定時間（例えば、５秒間）「無彩色（白色など）」で「点滅」させてから「消灯」させている。このように、ＯＳＤ表示モードがオンの時はホワイトバランス機能表示２０２を最初は点滅で強調した後点灯表示し撮影者に注意を促し、ＯＳＤ表示モードがオフの時はある程度経過して撮影者が特殊モードであることを忘れている場合があるため、ホワイトバランス機能表示２０２を一定時間点灯し撮影者に注意を促し、その後消灯して表示しないようにしたので、視覚的な煩わしさが無い良好な表示画面でカメラ撮影が出来る。
【００５５】
図９（ａ）は、本発明による経過時間大の段階でのＯＳＤ表示オン時でのカメラ機能特殊モードのＯＳＤ表示（図５のステップＳＴ７３０：特殊モード表示設定［Ｎ］ｂ）と確認要求表示（図５のステップＳＴ７３１：カメラ機能確認操作要求表示設定）の表示例であり、この場合は、特殊モードになってから長時間が経過している段階（例えば、２時間以上）でのＯＳＤ表示モードがオン時であり、カメラ機能特殊モード表示としてはホワイトバランス機能表示２０２を「有彩色」で「点滅」させるとともに、撮影者に特殊モードになっていることを所定の文章（例えば、「カメラ機能が特殊モードです（確認ボタン○を押して下さい）」）を表示させている。図９（ｂ）は、本発明による経過時間大の段階でのＯＳＤ表示オフ時でのカメラ機能特殊モードのＯＳＤ表示（図５のステップＳＴ７３１：特殊モード表示設定［Ｎ］ｂ）と確認要求表示（図５のステップＳＴ７３１：カメラ機能確認操作要求表示設定）の表示例であり、この場合は、特殊モードになってから長時間が経過している段階（例えば、２時間以上）でのＯＳＤ表示モードがオフ時であり、カメラ機能特殊モード表示を「有彩色」で「点滅」させるとともに、撮影者に特殊モードになっていることを所定の文章（例えば、「カメラ機能が特殊モードです（確認ボタン○を押して下さい）」）を表示させている。このように、長時間経過した場合は、撮影者は特殊モードであることを忘れていると思われるので、ＯＳＤ表示モードに関係なくホワイトバランス機能表示２０２の強調表示（有彩色で点滅）と確認要求の文書により撮影者に強く注意を促し、撮影者に効果的かつ確実に認識させ、撮影者の意図した良好な映像でカメラ撮影が出来る。
【実施例２】
【００５６】
ここで、前述の図９は、カメラ機能の特殊モードのみ確認操作を要求した場合であるが、これに限らず、例えば、撮影者に特殊モードのまま撮影するか、または、標準モードに切替えて撮影するかの確認操作を要求して、その確認操作に応じてカメラ機能モードを設定するようにしても良い。この時の表示例を図１０に示す。
【００５７】
図１０（ａ）は、本発明による経過時間大の段階でのＯＳＤ表示オン時でのカメラ機能特殊モードのＯＳＤ表示（図５のステップＳＴ７３０：特殊モード表示設定［Ｎ］ｂ）と確認要求表示（図５のステップＳＴ７３１：カメラ機能確認操作要求表示設定）の表示例であり、この場合は、特殊モードになってから長時間が経過している段階（例えば、２時間以上）でのＯＳＤ表示モードがオン時であり、カメラ機能特殊モード表示としてはホワイトバランス機能表示２０２を「有彩色」で「点滅」させるとともに、撮影者に特殊モードになっていることを所定の文章（例えば、「カメラ機能が特殊モードです  特殊モードで撮影するなら○ボタンを押す  標準モードで撮影するなら×ボタンを押す」）を表示し特殊モードと標準モードのどちらで撮影するかの確認操作を要求する。図１０（ｂ）は、本発明による経過時間大の段階でのＯＳＤ表示オフ時でのカメラ機能特殊モードのＯＳＤ表示（図５のステップＳＴ７３０：特殊モード表示設定［Ｎ］ｂ）と確認要求表示（図５のステップＳＴ７３１：カメラ機能確認操作要求表示設定）の表示例であり、この場合は、特殊モードになってから長時間が経過している段階（例えば、２時間以上）でのＯＳＤ表示モードがオフ時であり、カメラ機能特殊モード表示としてはホワイトバランス機能表示２０２を「有彩色」で「点滅」させるとともに、撮影者に特殊モードになっていることを所定の文章（例えば、「カメラ機能が特殊モードです  特殊モードで撮影するなら○ボタンを押す  標準モードで撮影するなら×ボタンを押す」）を表示し特殊モードと標準モードのどちらで撮影するかの確認操作を要求する。このように、長時間経過した場合は、撮影者は特殊モードであることを忘れていると思われるので、ＯＳＤ表示モードに関係なくホワイトバランス機能表示２０２の強調表示（有彩色で点滅）により撮影者に強く注意を促し撮影者に効果的かつ確実に認識させるとともに、撮影者にカメラ機能モードを選択させ意図した良好な映像でカメラ撮影が出来る。
【００５８】
以上、図７〜図１０説明したように、ＯＳＤ表示オンに選択されている場合は、所定操作時に、カメラ機能モード設定経過時間ｔに応じてカメラ機能特殊モードのＯＳＤ表示を図７（ａ）→図８（ａ）→図９（ａ）（又は、図１０（ａ））といったように変えることで、特殊モードのＯＳＤ表示を撮影者に効果的かつ確実に認識させ、撮影者の意図した良好な映像でカメラ撮影が出来る。また、ＯＳＤ表示オフに選択されている場合は、所定操作時に、カメラ機能モード設定経過時間ｔに応じてカメラ機能特殊モードのＯＳＤ表示を図７（ｂ）→図８（ｂ）→図９（ｂ）（又は、図１０（ｂ））といったように変えることで、特殊モードのＯＳＤ表示を撮影者に効果的かつ確実に認識させ、撮影者の意図した良好な映像でカメラ撮影が出来、かつ、該ＯＳＤ表示による視覚的な煩わしさが無い良好な表示画面でカメラ撮影が出来る。
【００５９】
なお、図６〜図１０で示したＯＳＤ表示については、これに限ったものでなく、形式（文字や記号）、色、表示周期（点灯／点滅／消灯）、大きさ等の組み合わせにより、様々な表示ができることは言うまでもない。
【００６０】
以上、本発明の一実形態について説明した。
【００６１】
本実施形態では、メモリ１０６や時計部１０７等を個別に備えているが、これに限ったものでなく、例えば、それらを内蔵しているシステム制御部１０４やカメラ制御部１０３（マイクロコンピュータ等）を用いても構わない。
【００６２】
また、本実施形態では、操作部１０５やメモリ１０６や時計部１０７等が、システム制御部１０４と接続されているが、これに限ったものでなく、例えば、カメラ制御部１０３と接続しても構わない。
【００６３】
更に、本実施形態では、カメラ制御部１０３とシステム制御部１０４とを個別に備えているが、これに限ったものでなく、例えば、それらを同一のマイクロコンピュータ等で構成しても構わない。
【図面の簡単な説明】
【００６４】
【図１】本発明による撮像装置をビデオカメラに適用した場合の一実施形態を示す構成図である。
【図２】本発明によるＯＳＤ表示オン時の特殊モードにおけるＯＳＤ表示の表示例である。
【図３】本発明によるＯＳＤ表示オフ時の特殊モードにおけるＯＳＤ表示の表示例である。
【図４】本発明によるカメラ機能モード表示処理のフローチャート（その１）である。
【図５】本発明によるカメラ機能モード表示処理のフローチャート（その２）である。
【図６】本発明によるカメラ機能標準モードのＯＳＤ表示の表示例を示した図である。
【図７】本発明による経過時間小の段階でのカメラ機能特殊モードのＯＳＤ表示の表示例を示した図である。
【図８】本発明による経過時間中の段階でのカメラ機能特殊モードのＯＳＤ表示の表示例を示した図である。
【図９】本発明による経過時間大の段階でのカメラ機能特殊モードのＯＳＤ表示と確認要求表示の表示例を示した図である。
【図１０】本発明による第２の実施例であるカメラ機能特殊モードのＯＳＤ表示と確認要求表示の表示例を示した図である。
【符号の説明】
【００６５】
１０１…撮像部、１０２…カメラ信号処理部、１０３…カメラ制御部、
１０４…システム制御部、１０５…操作部、１０６…メモリ、１０７…時計部、
１０８…記録再生部、１０９…ＯＳＤ制御部、１１０…映像信号重畳処理部、
１１１…表示部、２０１…フォーカス機能表示(手動)、
２０２…ホワイトバランス機能表示(手動)、２０３…露出機能表示（ポートレート）
【図１】
2006186717.tif 000003
【図２】
2006186717.tif 000004
【図３】
2006186717.tif 000005
【図４】
2006186717.tif 000006
【図５】
2006186717.tif 000007
【図６】
2006186717.tif 000008
【図７】
2006186717.tif 000009
【図８】
2006186717.tif 000010
【図９】
2006186717.tif 000011
【図１０】
2006186717.tif 000012